【手続補正書】
【提出日】平成27年10月7日(2015.10.7)
【手続補正１】
【補正対象書類名】明細書
【補正対象項目名】０００６
【補正方法】変更
【補正の内容】
【０００６】
本発明に係る空気調和機の室内機は、冷凍サイクルの一部を実行する熱交換器と、調和空気の吹出方向を調整する風向調整装置と、室内を撮像する撮像装置と、少なくとも前記撮像装置が撮像した人間の体温を検出する検温装置と、前記撮像装置が撮像した人間の映像および前記検温装置が検出した前記人間の体温に基づいて前記冷凍サイクルおよび前記風向調整装置を制御する制御装置と、を有し、前記制御装置は、当初吹出温度の調和空気を送風するように前記冷凍サイクルを運転している際、前記撮像装置によって撮像された人間の顔が、予め定めた時間である認識時間の間、前記撮像装置に対面して静止し、且つ、前記人間の体温が予め設定された標準温度範囲を外れているとき、調和空気の吹出温度を前記当初吹出温度とは相違する温度にして、その吹出温度の調和空気を前記人間に向けて送風し、該送風によって、前記人間の体温が前記標準温度範囲内の温度になったとき、前記調和空気の吹出温度を前記当初吹出温度に戻すことを特徴とする。
【手続補正２】
【補正対象書類名】特許請求の範囲
【補正対象項目名】全文
【補正方法】変更
【補正の内容】
【特許請求の範囲】
【請求項１】
冷凍サイクルの一部を実行する熱交換器と、調和空気の吹出方向を調整する風向調整装置と、室内を撮像する撮像装置と、少なくとも前記撮像装置が撮像した人間の体温を検出する検温装置と、前記撮像装置が撮像した人間の映像および前記検温装置が検出した前記人間の体温に基づいて前記冷凍サイクルおよび前記風向調整装置を制御する制御装置と、を有し、
前記制御装置は、当初吹出温度の調和空気を送風するように前記冷凍サイクルを運転している際、前記撮像装置によって撮像された人間の顔が、予め定めた時間である認識時間の間、前記撮像装置に対面して静止し、且つ、前記人間の体温が予め設定された標準温度範囲を外れているとき、調和空気の吹出温度を前記当初吹出温度とは相違する温度にして、その吹出温度の調和空気を前記人間に向けて送風し、
該送風によって、前記人間の体温が前記標準温度範囲内の温度になったとき、前記調和空気の吹出温度を前記当初吹出温度に戻すことを特徴とする空気調和機の室内機。
【請求項２】
前記制御装置は、当初吹出温度の調和空気を送風するように前記冷凍サイクルを運転している際、前記撮像装置によって撮像された人間の顔が、前記認識時間の間、前記撮像装置に対面して静止しているとき、該人間を認識するユーザー認識ステップと、
前記ユーザー認識ステップに続き、前記認識された人間の体温を前記検温装置に検出させ、前記検温装置が検出した体温が前記標準温度範囲内の温度であるか否かを判断して、前記人間の体温が前記標準温度範囲の上限温度よりも高い温度である場合、前記調和空気の吹出温度を前記当初吹出温度よりも低い温度にし、または前記人間の体温が前記標準温度範囲の下限温度よりも低い温度である場合、前記調和空気の吹出温度を前記当初吹出温度よりも高い温度にし、若しくは前記人間の体温が前記標準温度範囲内の温度である場合、前記調和空気の吹出温度を前記当初吹出温度と同じ温度に維持する温度設定ステップと、
前記温度設定ステップに続き、前記吹出温度の調和空気を、前記人間に向けて吹き出すように前記風向調整装置を制御する強力吹出ステップと、
前記強力吹出ステップに続き、前記人間の体温が、前記標準温度範囲内の温度になった場合、前記調和空気の吹出温度を前記当初吹出温度に戻す温度戻しステップと、
該温度戻しステップに続き、前記人間に向けて、前記当初吹出温度に戻された吹出温度の調和空気が送られるように前記風向調整装置を制御する標準吹出ステップと、
を実行することを特徴とする請求項１記載の空気調和機の室内機。
【請求項３】
前記制御装置は、当初吹出温度の調和空気を送風するように前記冷凍サイクルを運転している際、前記撮像装置によって撮像された人間の顔が、前記認識時間の間、前記撮像装置に対面して静止し、且つ、前記人間の体温が予め設定された標準温度範囲内の温度よりも高く、さらに、現在運転中の運転モードが暖房モードである場合、運転モードを冷房モードに切り替えると共に、調和空気の吹出温度を前記当初吹出温度よりも低い吹出温度にして、該低い吹出温度の調和空気を前記人間に向けて送風し、
該送風によって、前記人間の体温が前記標準温度範囲内の温度になったとき、運転モードが冷房モードに切り替えられている場合は、前記切り替えられた運転モードを暖房モードに戻すと共に、前記調和空気の吹出温度を前記当初吹出温度に戻すことを特徴とする請求項１記載の空気調和機の室内機。
【請求項４】
前記制御装置は、当初吹出温度の調和空気を送風するように前記冷凍サイクルを運転している際、前記撮像装置によって撮像された人間の顔が、前記認識時間の間、前記撮像装置に対面して静止しているとき、該人間を認識するユーザー認識ステップと、
前記ユーザー認識ステップに続き、前記人間の体温を前記検温装置に検出させ、前記検温装置が検出した体温が前記標準温度範囲内の温度であるか否かを判断して、前記人間の体温が前記標準温度範囲の上限温度よりも高い温度で、かつ、現在運転中の運転モードが暖房モードである場合、運転モードを冷房モードに切り替える運転モード切替ステップと、
前記人間の体温が前記標準温度範囲の上限温度よりも高い温度である場合、調和空気の吹出温度を前記当初吹出温度よりも低い温度にし、または前記人間の体温が前記標準温度範囲の下限温度よりも低い温度である場合、調和空気の吹出温度を前記当初吹出温度よりも高い温度にし、若しくは前記人間の体温が前記標準温度範囲内の温度である場合、調和空気の吹出温度を前記当初吹出温度と同じ温度に維持する温度設定ステップと、
前記温度設定ステップに続き、前記吹出温度または前記維持された吹出温度の調和空気を、前記人間に向けて吹き出すように前記風向調整装置を制御する強力吹出ステップと、
前記強力吹出ステップに続き、前記人間の体温が、前記標準温度範囲内の温度になった場合、運転モードが暖房モードから冷房モードに切り替えられているときは、運転モードを切り替えられる前の暖房モードに戻し、または、運転モードが切り替えられていないときは、該運転モードを暖房モードに維持する運転モード戻しステップと、
該運転モード戻しステップに続き、前記調和空気の吹出温度を前記当初吹出温度に戻す温度戻しステップと、
該温度戻しステップに続き、前記人間に向けて、前記当初吹出温度に戻された吹出温度の調和空気が送られるように前記風向調整装置を制御する標準吹出ステップと、
を実行することを特徴とする請求項３記載の空気調和機の室内機。
【請求項５】
前記制御装置は、前記冷凍サイクルの前回運転停止時に設定されていた調和空気の吹出温度を記憶し、前記冷凍サイクルの停止中に、前記撮像装置によって撮像された人間の顔が、予め定めた時間である認識時間の間、前記撮像装置に対面して静止しているとき、前記冷凍サイクルを起動することを特徴とする請求項１記載の空気調和機の室内機。
【請求項６】
前記制御装置は、前記人間が移動した際、前記人間の移動先を特定し、前記移動先にいる前記人間に向けて調和空気を送風することを特徴とする請求項１記載の空気調和機の室内機。
【請求項７】
前記制御装置は、前記人間に調和空気の送風を開始してから予め定められた時間である対象不変時間を超過した後、前記人間以外の人間の顔が、予め定めた時間である認識時間の間、前記撮像装置に対面して静止し、且つ、前記人間以外の人間の体温が予め設定された標準温度範囲を外れているとき、調和空気の吹出温度を前記当初吹出温度とは相違する吹出温度にして、その吹出温度の調和空気を、前記人間以外の人間に向けて送風し、
該送風によって、前記人間以外の人間の体温が前記標準温度範囲内の温度になったとき、前記調和空気の吹出温度を前記当初吹出温度に戻すことを特徴とする請求項１記載の空気調和機の室内機。
【請求項８】
前記制御装置は、前記調和空気の送風方向が、前記人間を含む予め定めた範囲内を往復して変動するように前記風向調整装置を制御するとき、前記人間を除く範囲に向かって前記調和空気が送風されている間に、前記検温装置が検知した温度を、前記人間の体温とすることを特徴とする請求項１記載の空気調和機の室内機。
【請求項９】
前記制御装置は前記風向調整装置を制御している際、少なくとも当該制御を停止させる信号を発することができる遠隔操作装置を有することを特徴とする請求項１記載の空気調和機の室内機。